(57)【要約】【課題】排気装置において、加工作業に支障をきたすことなく発生するヒュームを効率良く回収可能とする。【解決手段】第１開口部２１を有するハウジング１１と、ハウジング１１内で第１開口部２１の内側に第１隙間（噴出口）３１を空けて第２開口部３２が設けられる吸引フード１２と、吸引フード１２内で第２開口部３２の内側に第２隙間（吸引口）４１を空けて設けられる遮蔽部材１３と、ハウジング１１内に空気を供給する送風ファン（流体供給装置）１４と、吸引フード１２内を吸引する吸引ファン（吸引装置）１５とを設ける。【選択図】図１
2019132487.tif 000002
【特許請求の範囲】
【請求項１】
第１開口部を有するハウジングと、
前記ハウジング内で前記第１開口部の内側に第１隙間を空けて第２開口部が設けられる吸引フードと、
前記吸引フード内で前記第２開口部の内側に第２隙間を空けて設けられる遮蔽部材と、
前記ハウジング内に流体を供給する流体供給装置と、
前記吸引フード内を吸引する吸引装置と、
を備えることを特徴とする排気装置。
【請求項２】
前記第１隙間は、前記第１開口部の周方向に沿って設けられ、前記流体供給装置により供給された流体を噴出する噴出口として機能し、前記第２隙間は、前記第２開口部の周方向に沿って設けられ、前記吸引装置の吸引力により外部の空気を前記吸引フード内に吸引する吸引口として機能することを特徴とする請求項１に記載の排気装置。
【請求項３】
前記噴出口と前記吸引口は、絞り形状をなし、前記噴出口から噴出される流体の流速は、前記吸引口に吸引される空気の流速より速く設定されることを特徴とする請求項２に記載の排気装置。
【請求項４】
前記噴出口は、流体を末広がりに噴出するガイド部材が設けられることを特徴とする請求項２または請求項３に記載の排気装置。
【請求項５】
前記吸引フードは、前記第２開口部と対向する位置に連結ダクトを介して前記吸引装置が連結され、前記吸引装置の入口側または出口側にフィルタが装着されることを特徴とする請求項１から請求項４のいずれか一項に記載の排気装置。
【請求項６】
前記流体供給装置として、前記吸引装置の出口部から分岐する循環ダクトが前記ハウジングにおける前記第１開口部と対向する位置に連結されることを特徴とする請求項５に記載の排気装置。
【請求項７】
前記ハウジングと前記連結ダクトと前記吸引装置は、水平方向に沿って配置され、少なくとも前記ハウジングに移動可能な車輪が設けられることを特徴とする請求項５または請求項６に記載の排気装置。
【発明の詳細な説明】
【技術分野】
【０００１】
本発明は、溶接作業などにより発生するヒュームを回収して排気する排気装置に関するものである。
【背景技術】
【０００２】
溶接作業や溶断作業などを実施したとき、物質の加熱や昇華によって粉塵、煙霧、蒸気、揮発性粒子などのヒュームが発生する。そして、発生したヒュームは、室内の空調装置や換気装置などによる気流や温度差に起因する対流流れによって飛散して拡散する。例えば、このヒュームは、煙霧が室内の上方に拡散または滞留し易く、粉塵が室内の下方に滞留し易い。
【０００３】
このヒュームの飛散や拡散を防止する技術として、溶接機などの加工装置を外部から物理的に囲ってしまう遮蔽装置の設置や大型の排気装置によりヒュームを吸引する装置の設置などがある。なお、従来の排気装置としては、例えば、下記特許文献１に記載されたものがある。
【先行技術文献】
【特許文献】
【０００４】
【特許文献１】特開２０００−１４６２４７号公報
【発明の概要】
【発明が解決しようとする課題】
【０００５】
ところが、加工装置を遮蔽装置により囲ってしまうと、加工装置に対する被加工物の搬入や搬出が困難となり、また、加工することのできる被加工物の大きさが制限されてしまう。また、大型の排気装置を設置すると、吸引口を加工位置に近づける必要があるものの、近づけ過ぎると加工作業の邪魔になってしまう。しかし、吸引口を加工位置から遠ざけると、その分、吸引力を増加させる必要があり、排気装置の更なる大型化を招いてしまう。
【０００６】
本発明は上述した課題を解決するものであり、加工作業に支障をきたすことなく発生するヒュームを効率良く回収可能とする排気装置を提供することを目的とする。
【課題を解決するための手段】
【０００７】
上記の目的を達成するための本発明の排気装置は、第１開口部を有するハウジングと、前記ハウジング内で前記第１開口部の内側に第１隙間を空けて第２開口部が設けられる吸引フードと、前記吸引フード内で前記第２開口部の内側に第２隙間を空けて設けられる遮蔽部材と、前記ハウジング内に流体を供給する流体供給装置と、前記吸引フード内を吸引する吸引装置と、を備えることを特徴とするものである。
【０００８】
従って、流体供給装置によりハウジング内に流体を供給すると、ハウジングと吸引フードとの第１隙間から前方に流体が噴出され、噴出された流体によりヒュームの発生源に向けて流体のカーテンが形成され、一方、吸引装置により吸引フード内を吸引すると、吸引フードと遮蔽部材との第２隙間から前方の空間に対して吸引力が作用し、ヒュームの発生源から流体のカーテンの内部を通って吸引フードに向けたヒュームの流れが生成され、ヒュームが第２隙間から吸引フード内に吸引される。そのため、流体のカーテンによりヒュームを飛散または拡散させることなく回収することができ、加工作業に支障をきたすことなく発生するヒュームを効率良く回収可能とすることができる。
【０００９】
本発明の排気装置では、前記第１隙間は、前記第１開口部の周方向に沿って設けられ、前記流体供給装置により供給された流体を噴出する噴出口として機能し、前記第２隙間は、前記第２開口部の周方向に沿って設けられ、前記吸引装置の吸引力により外部の空気を前記吸引フード内に吸引する吸引口として機能することを特徴としている。
【００１０】
従って、前方に流体を噴出する噴出口を第１開口部の周方向に沿って設けることで、流体のカーテンを筒形状に形成することができ、外部の空気を吸引する吸引口を第２開口部の周方向に沿って設けることで、筒形状をなす流体のカーテンの内側でヒュームを吸引することができ、ヒュームを飛散または拡散させることなく回収することができる。
【００１１】
本発明の排気装置では、前記噴出口と前記吸引口は、絞り形状をなし、前記噴出口から噴出される流体の流速は、前記吸引口に吸引される空気の流速より速く設定されることを特徴としている。
【００１２】
従って、絞り形状をなす噴出口から噴出される流体の流速を絞り形状をなす吸引口に吸引される空気の流速より速く設定することから、ハウジングとヒュームの発生源との間に流体のカーテンを適切に形成することができ、この流体のカーテンを用いてヒュームを吸引フード内に効率良く回収することができる。
【００１３】
本発明の排気装置では、前記噴出口は、流体を末広がりに噴出するガイド部材が設けられることを特徴としている。
【００１４】
従って、ガイド部材により噴出口から流体を末広がりに噴出することから、広範囲にわたってヒュームを回収することができる。
【００１５】
本発明の排気装置では、前記吸引フードは、前記第２開口部と対向する位置に連結ダクトを介して前記吸引装置が連結され、前記吸引装置の入口側または出口側にフィルタが装着されることを特徴としている。
【００１６】
従って、吸引フードに連結ダクトを介して吸引装置を連結し、吸引装置の入口側または出口側にフィルタを装着することから、吸引フードに吸引したヒュームからフィルタにより異物を除去し、清浄された空気として外部に排出することができる。
【００１７】
本発明の排気装置では、前記流体供給装置として、前記吸引装置の出口部から分岐する循環ダクトが前記ハウジングにおける前記第１開口部と対向する位置に連結されることを特徴としている。
【００１８】
従って、吸引装置の出口部から分岐する循環ダクトをハウジングに連結することから、吸引したヒュームの循環流を第１隙間から噴出して流体のカーテンを形成することができ、流体供給装置として電動ファンなどを設ける必要がなくなり、設備コストの増加を抑制することができる。
【００１９】
本発明の排気装置では、前記ハウジングと前記連結ダクトと前記吸引装置は、水平方向に沿って配置され、少なくとも前記前記ハウジングに移動可能な車輪が設けられることを特徴としている。
【００２０】
従って、排気装置の一部または全部を可搬式とすることで、汎用性を向上することができる。
【発明の効果】
【００２１】
本発明の排気装置によれば、加工作業に支障をきたすことなく発生するヒュームを効率良く回収することができる。
【図面の簡単な説明】
【００２２】
【図１】図１は、第１実施形態の排気装置を表す概略側面図である。
【図２】図２は、排気装置を表す概略正面図である。
【図３】図３は、第１実施形態の排気装置の変形例を表す概略正面図である。
【図４】図４は、第２実施形態の排気装置を表す概略側面図である。
【図５】図５は、第３実施形態の排気装置を表す要部概略図である。
【発明を実施するための形態】
【００２３】
以下に添付図面を参照して、本発明に係る排気装置の好適な実施形態を詳細に説明する。なお、この実施形態により本発明が限定されるものではなく、また、実施形態が複数ある場合には、各実施形態を組み合わせて構成するものも含むものである。
【００２４】
［第１実施形態］
図１は、第１実施形態の排気装置を表す概略側面図、図２は、排気装置を表す概略正面図である。
【００２５】
第１実施形態において、図１及び図２に示すように、排気装置１０は、建屋内で溶接作業などにより発生するヒュームを回収して排気するものである。排気装置１０は、ハウジング１１と、吸引フード１２と、遮蔽部材１３と、送風ファン（流体供給装置）１４と、吸引ファン（吸引装置）１５とを備えている。
【００２６】
ハウジング１１は、中空の円筒形状をなし、軸方向の一方に第１開口部２１が設けられている。ハウジング１１は、円筒部２２における軸方向の一方に閉塞部２３が一体に固定され、軸方向の他方に第１開口部２１が形成されている。そして、ハウジング１１は、外周下部に支持部２４が固定され、支持部２４の下部に複数のキャスタ（車輪）２５が装着されている。
【００２７】
吸引フード１２は、ハウジング１１の内部に配置され、ハウジング１１の第１開口部２１の内側に第１隙間３１を空けて第２開口部３２が設けられている。吸引フード１２は、円筒部３３と円錐部３４から構成され、円筒部３３は、軸方向の一方がハウジング１１の閉塞部２３を貫通して固定され、軸方向の他方に円錐部３４が連結されている。円錐部３４は、軸方向の一方が円筒部３３に連結され、軸方向の他方が拡径して第２開口部３２が設けられている。
【００２８】
遮蔽部材１３は、吸引フード１２の内部に配置され、吸引フード１２の第２開口部３２の内側に第２隙間４１を空けて設けられている。遮蔽部材１３は、円板形状をなし、外周部が複数（本実施形態では、４個）の連結部材４２を介して吸引フード１２における円錐部３４の先端部に連結されている。
【００２９】
また、ハウジング１１と吸引フード１２により形成される第１隙間３１は、第１開口部２１の周方向に沿って設けられ、空気（流体）を噴出する噴出口（以下、噴出口３１と称する。）として機能する。また、吸引フード１２と遮蔽部材１３により形成される第２隙間４１は、第２開口部３２の周方向に沿って設けられ、外部の空気を吸引フード１２内に吸引する吸引口（以下、吸引口４１と称する。）として機能する。そして、噴出口３１と吸引口４１は、絞り形状をなしている。
【００３０】
送風ファン１４は、ハウジング１１内に空気（流体）を供給するものである。送風ファン１４は、ハウジング１１の閉塞部２３に周方向に均等間隔で複数装着され、外側に突出するダクト５１が固定されている。そのため、各送風ファン１４を駆動すると、外部の空気を各ダクト５１からハウジング１１と吸引フード１２との空間部５２に供給し、噴出口３１から噴出することができる。
【００３１】
吸引フード１２は、ハウジング１１の外部で第２開口部と対向する位置、つまり、円筒部３３に連結ダクト６１の一端部が連結されている。連結ダクト６１は、蛇腹形状をなすことで、伸縮可能であると共に折れ曲がり可能となっている。また、連結ダクト６１は、他端部が吸引ファン１５に連結され、吸引ファン１５は、排気ダクト６２が連結されている。そして、排気ダクト６２の出口部にフィルタ６３が着脱自在に装着されている。そして、吸引ファン１５及び排気ダクト６２は、下部に複数のキャスタ（車輪）６４，６５が装着されている。
【００３２】
そのため、吸引ファン１５を駆動すると、吸引力が連結ダクト６１を介して吸引フード１２の内部に作用し、吸引口４１から外部の空気を吸引することができる。吸引フード１２の吸引口４１から吸引した空気は、連結ダクト６１及び吸引ファン１５を通って排気ダクト６２に流れ、フィルタ６３により異物が除去されてから外部に排出される。
【００３３】
ここで、ハウジング１１と吸引フード１２と遮蔽部材１３と送風ファン１４は、キャスタ２５により床面Ｇ上を移動することができる。また、吸引ファン１５と排気ダクト６２は、キャスタ６４，６５により床面Ｇ上を移動することができる。この場合、各キャスタ２５，６４，６５は、ストッパ（図示略）が設けられていることから、排気装置１０を使用するときは、ストッパにより各キャスタ２５，６４，６５を回転不能とし、ハウジング１１と吸引フード１２と遮蔽部材１３と送風ファン１４と吸引ファン１５と排気ダクト６２を移動不能とする。一方、排気装置１０を別の場所で使用するときは、ストッパにより各キャスタ２５，６４，６５を回転可能とし、ハウジング１１と吸引フード１２と遮蔽部材１３と送風ファン１４、または、これらに加えて吸引ファン１５と排気ダクト６２を移動可能とする。
【００３４】
なお、ハウジング１１と吸引フード１２と遮蔽部材１３は、上述した構成に限定されるものではない。図３は、第１実施形態の排気装置の変形例を表す概略正面図である。
【００３５】
図３に示すように、ハウジング７１は、中空の四角筒形状をなし、軸方向の一方に第１開口部８１が設けられている。ハウジング７１は、下部に複数のキャスタ（車輪）８２が装着されている。吸引フード７２は、ハウジング７１の内部に配置され、ハウジング７１の第１開口部８１の内側に第１隙間８３を空けて第２開口部８４が設けられている。吸引フード１２は、前端部が拡径して第２開口部８４が設けられている。
【００３６】
遮蔽部材７３は、吸引フード７２の内部に配置され、吸引フード７２の第２開口部８４の内側に第２隙間８５を空けて設けられている。遮蔽部材７３は、円板形状をなし、外周部が複数（本実施形態では、４個）の連結部材８６を介して吸引フード７２の先端部に連結されている。
【００３７】
ここで、ハウジング７１と吸引フード７２により形成される第１隙間８３は、第１開口部８１の周方向に沿って設けられ、空気（流体）を噴出する噴出口（以下、噴出口８３と称する。）として機能する。また、吸引フード７２と遮蔽部材７３により形成される第２隙間８５は、第２開口部８４の周方向に沿って設けられ、外部の空気を吸引フード７２内に吸引する吸引口（以下、吸引口８５と称する。）として機能する。
【００３８】
なお、送風ファン１４や吸引ファン１５などの構成は、上述した構成と同様である。また、ハウジング１１，７１と吸引フード１２，７２と遮蔽部材１３，７３の形状は、円筒や四角筒に限るものではなく、楕円や長円、矩形などとしてもよい。
【００３９】
ここで、排気装置１０の作動について説明する。
【００４０】
図１に示すように、排気装置１０を移動し、ハウジング１１と吸引フード１２と遮蔽部材１３を図示しない加工装置から発生するヒュームＨの近傍に配置する。この状態で、各送風ファン１４を駆動すると共に吸引ファン１５を駆動する。すると、外部の空気Ａ１が各送風ファン１４により各ダクト５１から吸引され、ハウジング１１と吸引フード１２との空間部５２に供給された後、噴出口３１からエアカーテンＡ２として噴出される。このエアカーテンＡ２は、円筒形状をなし、発生するヒュームＨに向かって流れる。
【００４１】
また、吸引ファン１５により吸引力が連結ダクト６１を介して吸引フード１２の内部に作用する。すると、円筒形状をなすエアカーテンＡ２の内側に吸引フード１２に向かう流れが生成され、ヒュームＨ１が吸引口４１から吸引フード１２の内部に吸引される。このとき、噴出口３１が絞り部となっていることから、空間部５２に供給された空気は、吸引口４１で加速されて吹出されることで、ヒュームＨの発生源まで周方向に均一な流速のエアカーテンＡ２を形成できる。また、吸引口４１も絞り部となっていることから、吸引フード１２の内部に比べてエアカーテンＡ２内側の吸引力が大きくなり、ヒュームＨ１を吸引口４１から吸引フード１２の内部に吸引できる。
【００４２】
このとき、噴出口３１から噴出されるエアカーテンＡ２の流速は、吸引口４１に吸引されるヒュームＨ１の流速より速く設定されている。そのため、ハウジング１１とヒュームＨの発生源との間にエアカーテンＡ２を形成することで、エアカーテンＡ２の外側と内側を仕切り、エアカーテンＡ２の内側の空間を通してヒュームＨ１を吸引フード１２内に回収することができる。そして、噴出口３１から噴出されたエアカーテンＡ２は、ヒュームＨの発生源の近傍で、吸引フード１２からの吸引力によりヒュームＨ１と共にエアカーテンＡ２の内側を戻り、吸引口４１から吸引フード１２の内部に回収される。
【００４３】
その後、吸引フード１２の吸引口４１から内部に吸引したヒュームＨ１は、連結ダクト６１及び吸引ファン１５を通って排気ダクト６２に流れ、フィルタ６３により粉塵などの異物が除去されてから空気となって外部に排出される。
【００４４】
なお、第１実施形態の排気装置の変形例として説明した構成も同様の作動となる。
【００４５】
このように第１実施形態の排気装置にあっては、第１開口部２１を有するハウジング１１と、ハウジング１１内で第１開口部２１の内側に第１隙間（噴出口）３１を空けて第２開口部３２が設けられる吸引フード１２と、吸引フード１２内で第２開口部３２の内側に第２隙間（吸引口）４１を空けて設けられる遮蔽部材１３と、ハウジング１１内に空気を供給する送風ファン（流体供給装置）１４と、吸引フード１２内を吸引する吸引ファン（吸引装置）１５とを設けている。
【００４６】
従って、送風ファン１４によりハウジング１１内に空気を供給すると、噴出口３１から前方に空気が噴出され、噴出された空気によりヒュームＨの発生源に向けてエアカーテンＡ２が形成され、一方、吸引ファン１５により吸引フード１２内を吸引すると、吸引口４１から前方の空間に対して吸引力が作用し、ヒュームＨの発生源からエアカーテンＡ２の内部を通って吸引フード１２に向けたヒュームＨ１の流れが生成され、ヒュームＨ１が吸引口４１から吸引フード１２内に吸引される。そのため、ヒュームＨの発生源から離間した位置からであっても、エアカーテンＡ２によりヒュームＨ１を飛散または拡散させることなく回収することができ、加工作業に支障をきたすことなく発生するヒュームＨを効率良く回収可能とすることができる。
【００４７】
第１実施形態の排気装置では、第１隙間を噴出口３１として第１開口部２１の周方向に沿って設け、第２隙間を吸引口４１として第２開口部３２の周方向に沿って設けている。従って、エアカーテンＡ２を筒形状に形成して周方向にて均一な流速分布とすることで、筒形状をなすエアカーテンＡ２の内側でヒュームＨ１を吸引することができ、ヒュームＨを飛散または拡散させることなく回収することができる。
【００４８】
第１実施形態の排気装置では、噴出口３１と吸引口４１を絞り形状とし、噴出口３１から噴出される空気の流速を吸引口４１に吸引されるヒュームＨ１の流速より速く設定している。従って、ハウジング１１とヒュームＨの発生源との間にエアカーテンＡ２を適切に形成することができ、このエアカーテンＡ２を用いてヒュームＨを吸引フード１２内に効率良く回収することができる。
【００４９】
第１実施形態の排気装置では、吸引フード１２に連結ダクト６１を介して吸引ファン１５を連結し、吸引ファン１５の出口部にフィルタ６３を装着している。従って、吸引フード１２に吸引したヒュームＨ１からフィルタ６３により異物を除去し、清浄された空気として外部に排出することができる。
【００５０】
第１実施形態の排気装置では、ハウジング１１と連結ダクト６１と吸引ファン１５を水平方向に沿って配置し、少なくともハウジング１１に移動可能なキャスタ２５を設けている。従って、排気装置１０の一部または全部を可搬式とすることで、汎用性を向上することができる。
【００５１】
［第２実施形態］
図４は、第２実施形態の排気装置を表す概略側面図である。なお、上述した実施形態と同様の機能を有する部材には、同一の符号を付して詳細な説明は省略する。
【００５２】
第２実施形態において、図４に示すように、排気装置１００は、ハウジング１１と、吸引フード１２と、遮蔽部材１３と、循環ダクト（流体供給装置）１０１と、吸引ファン１５とを備えている。ここで、ハウジング１１と吸引フード１２と遮蔽部材１３と吸引ファン１５は、第１実施形態と同様であることから、説明は省略する。
【００５３】
循環ダクト１０１は、蛇腹形状をなすことで、伸縮可能であると共に折れ曲がり可能となっている。循環ダクト１０１は、一端部が排気ダクト６２より出口部（フィルタ６３）よりも上流側に連結され、他端部がハウジング１１における第１開口部２１と対向する位置、つまり、閉塞部２３に連結されている。そして、循環ダクト１０１は、排気ダクト６２との連結部にフィルタ１０２が設けられている。なお、このフィルタ１０２をなくしてもよい。
【００５４】
そのため、吸引ファン１５を駆動すると、吸引力が連結ダクト６１を介して吸引フード１２の内部に作用する。すると、ヒュームＨの発生源からヒュームＨ１が吸引フード１２に向かって流れ、吸引口４１から吸引フード１２の内部に吸引される。吸引フード１２の吸引口４１から内部に吸引したヒュームＨ１は、連結ダクト６１及び吸引ファン１５を通って排気ダクト６２に流れ、フィルタ６３により粉塵などの異物が除去されてから空気となって外部に排出される。
【００５５】
また、吸引フード１２から連結ダクト６１及び吸引ファン１５を通って排気ダクト６２に流れたヒュームＨ１の一部は、フィルタ１０２により粉塵などの異物が除去されてから空気となり、循環ダクト１０１を通ってハウジング１１と吸引フード１２との空間部５２に供給される。そして、空間部５２の空気が噴出口３１からエアカーテンＡ３として噴出される。このエアカーテンＡ３は、円筒形状をなし、発生するヒュームＨに向かって流れる。そのため、円筒形状をなすエアカーテンＡ３の内側に吸引フード１２に向かう流れが生成される。
【００５６】
即ち、ハウジング１１とヒュームＨの発生源との間にエアカーテンＡ３を形成することで、エアカーテンＡ３の外側と内側を仕切り、エアカーテンＡ３の内側の空間を通してヒュームＨ１を吸引フード１２内に回収することができる。そして、噴出口３１から噴出されたエアカーテンＡ３は、ヒュームＨの発生源の近傍で、吸引フード１２からの吸引力によりヒュームＨ１と共にエアカーテンＡ３の内側を戻り、吸引口４１から吸引フード１２の内部に回収される。
【００５７】
このように第２実施形態の排気装置にあっては、流体供給装置として、吸引ファン１５の出口部から分岐する循環ダクト１０１をハウジング１１の閉塞部２３に連結している。
【００５８】
従って、吸引フード１２で吸引したヒュームＨの循環流を噴出口３１から噴出してエアカーテンＡ３を形成することができ、流体供給装置として電動ファンなどを設ける必要がなくなり、設備コストの増加を抑制することができる。
【００５９】
［第３実施形態］
図５は、第３実施形態の排気装置の要部を表す概略図である。なお、上述した実施形態と同様の機能を有する部材には、同一の符号を付して詳細な説明は省略する。
【００６０】
第３実施形態において、図５に示すように、排気装置１１０は、ハウジング１１１と、吸引フード１２と、遮蔽部材１３と、送風ファン１４と、吸引ファン１５（図１参照）とを備えている。ここで、吸引フード１２と遮蔽部材１３と送風ファン１４と吸引ファン１５は、第１実施形態と同様であることから、説明は省略する。
【００６１】
ハウジング１１１は、中空の円筒形状をなし、軸方向の一方に第１開口部２１が設けられている。ハウジング１１は、円筒部２２における軸方向の一方に閉塞部２３が一体に固定され、軸方向の他方に第１開口部２１が形成されている。吸引フード１２は、ハウジング１１の内部に配置され、ハウジング１１の第１開口部２１の内側に第１隙間（噴出口）３１を空けて第２開口部３２が設けられている。遮蔽部材１３は、吸引フード１２の内部に配置され、吸引フード１２の第２開口部３２の内側に第２隙間（吸引口）４１を空けて設けられている。
【００６２】
ハウジング１１は、円筒部２２の先端部にガイド（ガイド部材）１１２が設けられている。円筒部２２は、軸方向に沿って内径が同径であるが、ガイド１１２は、円筒部２２との接続部から前方に向けて内径が大きくなるような拡径形状となっている。また、ガイド１１２は、円筒部２２と同様に周方向に連続して設けられている。そのため、噴出口３１は、このガイド１１２と吸引フード１２の円錐部の先端部とにより形成されることで、空間部５２の空気を末広がりに噴出することができる。
【００６３】
そのため、各送風ファン１４を駆動すると共に吸引ファン１５（図１参照）を駆動する。すると、外部の空気Ａ１が各送風ファン１４により各ダクト５１から吸引され、ハウジング１１と吸引フード１２との空間部５２に供給された後、噴出口３１からエアカーテンＡ２として噴出される。このエアカーテンＡ２は、ガイド１１２により末広がりに噴出することで円錐形状をなす。
【００６４】
また、吸引ファン１５により吸引力が連結ダクト６１を介して吸引フード１２の内部に作用する。すると、円錐形状をなすエアカーテンＡ２の内側に吸引フード１２に向かう流れが生成され、ヒュームＨ１が吸引口４１から吸引フード１２の内部に吸引される。即ち、ハウジング１１とヒュームＨの発生源との間に円錐形状をなすエアカーテンＡ２を形成することで、エアカーテンＡ２の外側と内側を仕切り、エアカーテンＡ２の内側の空間を通してヒュームＨ１を吸引フード１２内に回収することができる。このとき、エアカーテンＡ２は、ヒュームＨの発生源に向けて円錐形状をなすように広がることから、広範囲にわたってヒュームＨ１を回収できる。
【００６５】
そして、噴出口３１から噴出されたエアカーテンＡ２は、ヒュームＨの発生源の近傍で、吸引フード１２からの吸引力によりヒュームＨ１と共にエアカーテンＡ２の内側を戻り、吸引口４１から吸引フード１２の内部に回収される。その後、吸引フード１２の吸引口４１から内部に吸引したヒュームＨ１は、連結ダクト６１及び吸引ファン１５を通って排気ダクト６２に流れ、フィルタ６３により粉塵などの異物が除去されてから空気となって外部に排出される。
【００６６】
このように第３実施形態の排気装置にあっては、噴出口３１から空気を末広がりに噴出するガイド１１２を設けている。
【００６７】
従って、ガイド１１２より噴出口３１からヒュームＨの発生源に向けて空気を末広がりに噴出することから、広範囲にわたってヒュームＨを回収することができる。
【００６８】
なお、上述した実施形態では、吸引ファン１５の出口部にフィルタ６３を装着したが、フィルタ６３は、吸引ファン１５の入口側でも出口側でもよい。また、吸引した空気を屋外に排出する場合には、フィルタ６３をなくしてもよい。
【００６９】
また、上述した実施形態では、ハウジングと吸引フードと遮蔽部材と流体供給装置と吸引装置を水平配置として移動可能としたが、この配置に限定されるものではない。例えば、ハウジングと吸引フードと遮蔽部材と流体供給装置と吸引装置を鉛直配置としてクレーンなどにより水平方向及び鉛直方向に移動可能としてもよい。
【符号の説明】
【００７０】
１０，１００，１１０  排気装置
１１，７１，１１１  ハウジング
１２，７２  吸引フード
１３，７３  遮蔽部材
１４  送風ファン（流体供給装置）
１５  吸引ファン（吸引装置）
２１，８１  第１開口部
２２  円筒部
２３  閉塞部
２４  支持部
２５，６４，６５，８２  キャスタ（車輪）
３１，８３  第１隙間、噴出口
３２，８４  第２開口部
３３  円筒部
３４  円錐部
４１，８５  第２隙間、吸引口
４２，８６  連結部材
５１  ダクト
５２  空間部
６１  連結ダクト
６２  排気ダクト
６３，１０２  フィルタ
１０１  循環ダクト
１１２  ガイド（ガイド部材）
【図１】
2019132487.tif 000003
【図２】
2019132487.tif 000004
【図３】
2019132487.tif 000005
【図４】
2019132487.tif 000006
【図５】
2019132487.tif 000007